(57)【要約】【課題】  橈骨動脈穿刺法を行なう際に、検査または治療に必要な姿勢を患者が維持することができるラディアル穿刺用枕を提供する。【解決手段】  橈骨動脈に穿刺する際に使用され、患者の前腕部の長手方向の形状に合わせて凹状に窪んだ湾曲面を備えており、前記湾曲面は、手のひらを上方に向けて前記前腕部が前記湾曲面に載置された状態で、前記前腕部が捻られて前記橈骨動脈が上方に向くように前記前腕部の位置を案内している。【選択図】      図１
2006109963.tif 000002
【特許請求の範囲】
【請求項１】
橈骨動脈に穿刺する際に使用され、上面に湾曲面を備えた台座と前記湾曲面の上に配置されたクッションとで構成され、前記クッションは前記湾曲面の形状に合わせて変形可能に形成され、前記湾曲面は患者の前腕部の裏側面の形状に合わせて凹状に形成されており、手のひらを上方に向けて前記前腕部の裏側面が前記クッションに載置された状態で、前記前腕部が捻られて前記橈骨動脈が上方に向くように前記湾曲面が前記前腕部の位置を案内していることを特徴とするラディアル穿刺用枕。
【請求項２】
前記台座には、患者の手首を手の甲側に略直角に屈曲させた状態で前記手のひらの部分を押圧して前記屈曲させた状態を維持するための保持手段が設けられていることを特徴とする、請求項１に記載のラディアル穿刺用枕。
【請求項３】
前記台座の下側にはアンギオベッドのシーツの下側に挿入されるカバーを備え、前記カバーは、断面略Ｌ字形状に形成され、前記アンギオベッドの側面部と略同一面になるように配置される縦壁部を備えていることを特徴とする、請求項１または請求項２に記載のラディアル穿刺用枕。
【請求項４】
前記台座、前記クッションおよび前記カバーは、Ｘ線を通過させることができる素材で形成されていることを特徴とする、請求項１から請求項３のいずれかに記載のラディアル穿刺用枕。
【請求項５】
前記カバーの縦壁部には、Ｘ線を通過させない材料で形成されたＸ線不透過材が前記縦壁部に貼り付けられていることを特徴とする請求項３または請求項４に記載のラディアル穿刺用枕。
【発明の詳細な説明】
【技術分野】
【０００１】
本発明は、ＣＡＧ検査およびＰＣＩ治療で橈骨動脈に穿刺する際に患者の前腕部の下に敷いて使用するためのラディアル穿刺用枕に関する。
【背景技術】
【０００２】
例えば動脈硬化のために心臓の冠動脈が閉塞したり狭窄すると、虚血性疾患と呼ばれる状態になる。この虚血性疾患の中で代表的な病名としては、心筋梗塞や狭心症などがあり、これらの手術方法としては、ＣＡＧ検査、経皮的冠動脈形成術（ＰＴＣＡ）または経皮的冠動脈インターベンション（ＰＣＩ）が挙げられる。これらの手術方法は、その病変部に風船（バルーンカテーテル）を用いて血管内を拡張して行なわれるものであり、業界では一般的に風船治療と呼ばれている。
【０００３】
ＣＡＧ検査または治療の際、病変部である冠動脈内に風船などの治療器具を入れるためには、まず動脈にカテーテルを挿入する必要がある。カテーテルを動脈内に入れる場所としては主に３箇所があり、それぞれ、大腿動脈穿刺法（足の付け根にある動脈を用いる方法）、上腕動脈穿刺法（肘の部分にある動脈を用いる方法）および橈骨動脈穿刺法（手首にある動脈を用いる方法）と呼ばれている。
【０００４】
大腿動脈穿刺法は昔からよく行なわれている方法であり、動脈の径が大きいため、比較的太い器具であっても挿入することができるという利点を有している。しかしながら、一般的に出血も多くなってしまうため、患者は止血のために長い間ベッドの上で安静にしていなければならない。これに対し、橈骨動脈穿刺法は、動脈が細いために太い器具を用いた治療は行なえないが、止血のための時間が短く患者にとって楽な方法であり、さらに出血による合併症状がほとんど起こらないという利点を有している。そのため、近年では橈骨動脈穿刺法が多く利用されている。
【発明の開示】
【発明が解決しようとする課題】
【０００５】
この橈骨動脈穿刺法は、患者をベッドに仰向けに寝かせて、右または左の手首を上側にした状態で穿刺している。詳細には、橈骨動脈を真上に向けるために、例えば右手首の場合、この右手首を少し左方向（体の内側方向）に捻った姿勢をとる必要がある。また、橈骨動脈を手首の表皮からはっきりと確認できるようにするために、患者の手のひらを上方に向け、かつ手首を曲げて手の甲を約９０°だけ下に折り曲げた姿勢を維持しなければならない。この姿勢を治療の間中維持することは、治療を受ける患者にとって多大な苦痛となる。
【０００６】
本発明の目的は、橈骨動脈穿刺法を行なう際に、検査または治療に必要な姿勢を患者が維持することができるラディアル穿刺用枕を提供することにある。
【課題を解決するための手段】
【０００７】
本発明に係るラディアル穿刺用枕は、橈骨動脈に穿刺する際に使用され、上面に湾曲面を備えた台座と前記湾曲面の上に配置されたクッションとで構成され、前記クッションは前記湾曲面の形状に合わせて変形可能に形成され、前記湾曲面は、患者の前腕部の裏側面の形状に合わせて凹状に形成されており、手のひらを上方に向けて前記前腕部の裏側面が前記クッションに載置された状態で、前記前腕部が捻られて前記橈骨動脈が上方に向くように前記前腕部の位置を案内している。
【０００８】
また、前記台座には、患者の手首を手の甲側に略直角に屈曲させた状態で前記手のひらの部分を押圧して前記屈曲させた状態を維持するための保持手段が設けられている。
さらに、前記台座の下側にはアンギオベッドのシーツの下側に挿入されるカバーを備え、前記カバーは、断面略Ｌ字形状に形成され、前記アンギオベッドの側面部と略同一面になるように配置される縦壁部を備えている。
【０００９】
前記台座、前記クッションおよび前記カバーは、Ｘ線を通過させることができる素材で形成されている。
また、前記カバーの縦壁部には、Ｘ線を通過させない材料で形成されたＸ線不透過材が前記縦壁部に貼り付けられている。
【発明の効果】
【００１０】
本発明に係るラディアル穿刺用枕は、橈骨動脈に穿刺する際に使用され、上面に湾曲面を備えた台座と前記湾曲面の上に配置されたクッションとで構成され、前記クッションは前記湾曲面の形状に合わせて変形可能に形成され、前記湾曲面は、患者の前腕部の裏側面の形状に合わせて凹状に形成されており、手のひらを上方に向けて前記前腕部の裏側面が前記クッションに載置された状態で、前記前腕部が捻られて前記橈骨動脈が上方に向くように前記前腕部の位置を案内しているので、治療を受ける患者が楽な姿勢を取った状態で、ラディアル穿刺を受けることができる。特に、患者自身が前腕部を意識的に捻った状態を維持し続けるという必要がなく、単に本発明のラディアル穿刺用枕に前腕部を置くだけで、楽に捻った状態を維持し続けることができる。また、湾曲面の形状によって前腕部の最適な位置が規制されるので、検査または治療を行なう医師も効率よくかつ安全に治療を進めることができる。
【００１１】
また、前記台座には、患者の手首を手の甲側に略直角に屈曲させた状態で前記手のひらの部分を押圧して前記屈曲させた状態を維持するための保持手段が設けられているので、治療を受ける患者の前腕部の表皮から橈骨動脈を浮き出させるために、患者自身が意識的に手首を屈曲させた状態を維持し続けるという必要がなく、単に保持手段に手のひらをあてがうようにするだけで、楽に手首を屈曲させた状態を維持し続けることができる。また、橈骨動脈を確実に表皮から浮き出させることができるため、検査または治療を行なう医師も効率よくかつ安全に治療を進めることができる。
さらに、前記台座の下側にはアンギオベッドのシーツの下側に挿入されるカバーを備え、前記カバーは、断面略Ｌ字形状に形成され、前記アンギオベッドの側面部と略同一面になるように配置される縦壁部を備えているので、ラディアル穿刺用枕がアンギオベッドの外側にずれ落ちないように、縦壁部で台座の位置を規制することができる。
【００１２】
前記台座、前記クッションおよび前記カバーは、Ｘ線を通過させることができる素材で形成されているので、Ｘ線を用いて治療中に前腕部の動脈内部を目視で確認することができる。
また、前記カバーの縦壁部には、Ｘ線を通過させない材料で形成されたＸ線不透過材が前記縦壁部に貼り付けられているので、アンギオベッドの側部で作業をする医師にＸ線が当たらないように、Ｘ線不透過材で医師をＸ線から防御することができる。
【発明を実施するための最良の形態】
【００１３】
以下、本発明の実施の形態に係るラディアル穿刺用枕ついて、図１〜図５を用いて詳細に説明する。
なお、本説明では、右手首に穿刺する場合について説明するが、左手首に穿刺する場合についても同様に行なうことができる。また、本明細書中で、「前腕部」とは、肘から手首にかけての部位をさすものとする。さらに、「前腕部の裏側面」とは、前腕部の手の甲側の面をいうものとする。
【００１４】
図1は、本発明の実施の形態に係るラディアル穿刺用枕を使用している状態を示す全体図である。橈骨動脈穿刺法による治療を受ける患者１は、アンギオベッド２の上で仰向けになり、右前腕部１ａの橈骨動脈１ｂが上側に向くような姿勢で寝かせられる。この患者１の右前腕部１ａの下側には、前腕部の裏側面と接するように、ラディアル穿刺用枕３が配置されている。
【００１５】
図２は、ラディアル穿刺用枕３の全体図である。このラディアル穿刺用枕３は、下側に配置される台座４と、この台座４の上側に乗せて使用されるクッション５によって構成されている。この台座４の単品の状態を図３に、クッション５の単品の状態を図４に示す。
【００１６】
台座４は、略直方体の外形を有しており、例えば発泡スチロールや樹脂材料のように容易に成形することができ、かつＸ線が通過することのできる素材で形成されている。この台座４の上面には、台座４の一端側４ａから他端側４ｂまで凹状に窪んだ湾曲面６が形成されている。この湾曲面６は、一般的な人間の前腕部の裏側面の形状に合うようになっており、この一端側４ａには、図１に示す患者１の肘の部分があてがわれ、他端側４ｂには患者１の手首の部分があてがわれるようになっている。
【００１７】
この湾曲面６の形状は、一端側４ａから他端側４ｂまでほぼ同一の曲率半径を有する円弧で形成されており、この円弧の中心は、一端側４ａの位置で台座４の内側４ｃの方向にずれている。また、この円弧の中心は、一端側４ａから他端側４ｂに向かうに従い、さらに内側４ｃの下方にずれている。この曲率半径は、一般的な体格の人間の前腕部の形に合わせて適宜決定することができる。
【００１８】
詳細には、図３に示すように、他端側４ｂの内側（図中の右側）角部の高さ寸法（図中のＡ寸法、例えば、７２ｍｍ）は、他端側４ｂの外側（図中の左側）角部の高さ寸法（図中のＢ寸法、例えば、９０ｍｍ）よりも小さく、かつ、一端側４ａの内側角部の高さ寸法（図中のＣ寸法、例えば、１２５ｍｍ）は、一端側４ｂの外側角部の高さ寸法（図中のＤ寸法、例えば、１０５ｍｍ）よりも小さくなっている。
【００１９】
また、台座４の他端側４ｂには、固定用バンド７が取り付けられている。この固定用バンド７は略コ字形状に折り曲げられており、固定用バンド７の両端部が台座４の外側面４ｃおよび内側面４ｄにそれぞれ取り付けられ、他端側４ｂの起立面と固定用バンド７との間に隙間ができるように配設されている。この固定用バンド７の取り付け部は、図示しない長さ調整機構を備えており、他端側４ｂの起立面と固定用バンド７との隙間の大きさを調整できるようになっている。なお、この固定用バンド７についても、Ｘ線が通過することのできる樹脂材料や布等で形成されている。
【００２０】
クッション５は、湾曲面６の全面を覆う大きさに形成されており、前腕部１ａが置かれたときに、この前腕部１ａの形および湾曲面６の形状に従って変形することができる柔らかい素材で構成されている。また、クッション５は、Ｘ線を通過させることができる素材で構成されている。このクッション５には、例えば、就寝時に頭部の下に置いて使用する枕のように、外側を覆う袋状の布またはネットの中に綿や羽毛などを入れたクッション性の高いものが用いられている。
【００２１】
一方、ラディアル穿刺用枕３の下側には、図１に示すように、樹脂製のカバー１０が配置されている。このカバー１０の形状は、図５に示すように、断面が略Ｌ字形状に形成されており、アンギオベッド２のシーツの下側に挿入される底面部１０ａと、この底面部１０ａの左側の側端部を上方向へ略垂直に立ち上げた縦壁部１０ｂを備えている。なお、このカバー１０は、成形性がよく、かつＸ線を通過させることができる素材で形成されており、例えば、ポリエチレン、ポリプロピレン、ポリカーボネイトなどが使用されている。
【００２２】
カバー１０の縦壁部１０ｂと反対側の右側端縁には、図１および図５に示すように、アンギオベッド２の側縁２ａに対して傾斜するようにテーパー面１０ｄが全長に亘って形成されており、アンギオベッド２のシーツの下側に潜り込ませ易いようになっている。詳細には、患者１の上半身側の部分の長さＥの方が下半身側の部分の長さＦよりも短くなっている。また、縦壁部１０ａの外側の起立面１０ｃの全面には、Ｘ線不透過材１２が貼り付けられており、Ｘ線が作業者の側に漏れるのを防止するようになっている。このＸ線不透過材１２としては、例えば鉛を材料として使用した板材などがある。
【００２３】
次に、本発明の実施の形態に係るラディアル穿刺用枕の作用について図１を用いて説明する。
台座４の湾曲面６の上にクッション５を載せてラディアル穿刺用枕３として使用できる状態にする。このとき、台座４にクッション５を乗せた状態で、図示しない袋状のカバーに一緒に入れておいたり、シーツなどで包んでおくとよい。
【００２４】
次に、アンギオベッド２に仰向けに寝かされた患者１の右前腕部の下側にラディアル穿刺用枕３を配置する。このとき、患者１の手のひらを上方に向けた状態にして、患者１の前腕部の肘部から手首までをクッション５の上に載せるようにする。患者１の前腕部は、クッション５を介して台座４の湾曲面６に沿って位置決めされるようになる。この湾曲面６に沿った状態では、患者の前腕部は、普通に手のひらを上方に向けた状態よりも前腕部の右側部分が下方にくるように位置決めされるため、前腕部の長手方向の中心よりも若干左側寄りにある橈骨動脈が真上に向くようになる。
【００２５】
さらに、患者の手首を略９０°だけ下方向に屈曲させ、固定用バンド７を手のひらの部分に接触させるとともに、固定用バンド７で手のひらを手首の屈曲方向に押圧するようにして手首を台座４に固定させる。
【００２６】
次に、ラディアル穿刺用枕３の下側であって、アンギオベッド２のシーツの下側にカバー１０を挿入する。このカバー１０は、アンギオベッド２のシーツの端縁と縦壁部１０ｂとが当接するまで挿入され、これらが平行になるように配置される。これにより、ラディアル穿刺用枕３がアンギオベッド２の外側にずれてはみ出ようとするのを縦壁部１０ｂで押さえることができる。
【００２７】
上述の状態で、患者１の橈骨動脈１ｂにカテーテルが挿入され、治療が開始される。治療中には、前腕部にＸ線をあてて動脈内部の挿入状態が確認される。
【００２８】
本発明の実施の形態に係るラディアル穿刺用枕では、検査または治療を受ける患者が楽な姿勢を取った状態で、ラディアル穿刺を受けることができる。特に、患者自身が前腕部１ａを内側方向に意識的に捻った状態を維持し続けるという必要がなく、単に本発明のラディアル穿刺用枕に前腕部１ａを置くだけで、楽に捻った状態を維持し続けることができる。また、湾曲面６の形状によって前腕部１ａの最適な位置が規制されるので、検査または治療を行なう医師も効率よくかつ安全に治療を進めることができる。
また、橈骨動脈１ｂを手首の表皮からはっきりと確認できるようにすることができるとともに、患者１が意識的に手首を曲げた状態にする必要がなくなる。さらに、長時間この状態を維持していても患者１に苦痛を与えることがなくなる。
【００２９】
さらに、台座４およびクッション５がアンギオベッド２の外側にずれ落ちないように、カバー１０の縦壁部１０ｂで台座４およびクッション５の位置を規制することができる。
さらにまた、Ｘ線を用いて治療中に前腕部１ａの動脈内部を目視で確認することができる。また、アンギオベッドの側部で作業をする医師にＸ線が当たらないように、Ｘ線不透過材１２で医師をＸ線から防御することができる。
【００３０】
以上、本発明を実施するための最良の形態について述べたが、本発明は既述の実施形態に限定されるものではなく、本発明の技術思想に基づいて各種の変形および変更が可能である。
例えば、本発明の実施例では、固定用バンド７の長さ調整機構が固定用バンド７の両端部の取り付け部に設けられているが、固定用バンド７自体で長さを調整できるように構成することもできる。
【００３１】
また、患者の左前腕部に合わせてラディアル穿刺用枕を製作することもできる。この場合、湾曲面６の形状は、右前腕部用のものとは左右が逆の形状となることの他に、使用者の便宜や左右の前腕部の微妙な形状の違い等を考慮して、湾曲面６の寸法を変更して製作している。
【図面の簡単な説明】
【００３２】
【図１】本発明の実施の形態に係るラディアル穿刺用枕を使用している状態を示す全体図である。
【図２】本発明の実施の形態に係るラディアル穿刺用枕の全体を示す斜視図である。
【図３】本発明の実施の形態に係るラディアル穿刺用枕の台座を示す斜視図である。
【図４】本発明の実施の形態に係るラディアル穿刺用枕のクッションを示す斜視図である。
【図５】本発明の実施の形態に係るラディアル穿刺用枕のカバーを示す斜視図である。
【符号の説明】
【００３３】
１  患者
１ａ  右前腕部
１ｂ  橈骨動脈
２  アンギオベッド
２ａ  アンギオベッドの端縁
３  ラディアル穿刺用枕
４  台座
４ａ  一端側
４ｂ  他端側
４ｃ  外側面
４ｄ  内側面
５  クッション
６  湾曲面
７  固定用バンド
７ａ，７ｂ  両端部
１０  カバー
１０ａ  底面部
１０ｂ  縦壁部
１０ｃ  起立面
１０ｄ  テーパー
１２  Ｘ線不透過材
【図１】
2006109963.tif 000003
【図２】
2006109963.tif 000004
【図３】
2006109963.tif 000005
【図４】
2006109963.tif 000006
【図５】
2006109963.tif 000007